(57)【要約】【課題】  携帯型電子部品の内部空間を節約することができる、マウス構造を提供すること。【解決手段】    携帯型電子製品に使用するマウス構造であって、ベースと、前記ベースに取りつけるケースと、前記ベースと前記ケースの間に配置する電気回路ボードと、前記電気回路ボードの上に配置して、携帯型電子製品と接続する第一ソケットと、前記ベースに配置するスピーカーと、電気線路を通じて前記スピーカーに接続すると共に、前記携帯型電子製品のマイクソケットと接続する第二ソケットに接続したマイクと、を具備しており、使用する際、前記スピーカーと前記マイクを通じて前記携帯型電子製品と音声の送受が行えることを特徴とする、マウス構造である。【選択図】図２
0003103742.tif 000002
【実用新案登録請求の範囲】
【請求項１】
携帯型電子製品に使用するマウス構造であって、
ベースと、
前記ベースに取りつけるケースと、
前記ベースと前記ケースの間に配置する電気回路ボードと、
前記電気回路ボードの上に配置して、携帯型電子製品と接続する第一ソケットと、
前記ベースに配置するスピーカーと、
電気線路を通じて前記スピーカーに接続すると共に、前記携帯型電子製品のマイクソケットと接続する第二ソケットに接続したマイクと、を具備しており、
使用する際、前記スピーカーと前記マイクを通じて前記携帯型電子製品と音声の送受が行えることを特徴とする、
マウス構造。
【請求項２】
請求項１に記載したマウス構造において、
前記第二ソケットは、コネクターを通じて前記携帯型電子製品のマイクソケットと接続できることを特徴とする、
マウス構造。
【請求項３】
請求項１に記載したマウス構造において、
前記第一ソケットは、アダプタを通じて前記携帯型電子製品と接続できることを特徴とする、
マウス構造。
【請求項４】
請求項１に記載したマウス構造において、
前記第一ソケットにＵＳＢソケットを使用することを特徴とした、
マウス構造。
【請求項５】
請求項１に記載したマウス構造において、
前記ベースに前記スピーカーを入れるコンケーブフレームを設け、
前記コンケーブフレームにはスピーカーホールが設けてあることを特徴とした、
マウス構造。
【請求項６】
請求項１に記載したマウス構造において、
前記ベースに前記マイクを入れるコンケーブスロットを設けたことを特徴とする、
マウス構造。
【考案の詳細な説明】
【技術分野】
【０００１】
本考案は、マウス構造に関するもので、特にマウスの中にマイクとスピーカーを備えたものである。
【背景技術】
【０００２】
現在、ノート型パソコンは、より薄く、より小型化する方向へ開発が進んでいる。そのため、パソコンの内部空間は大きさが限られ、重要度によってはパーツを外づけにするものもある。たとえば、音声を送ったり、受けたりするスピーカーやマイクなどのパーツは、その一例である。
ところで、ノート型パソコンでは、タッチボードやジョイスティックをマウスの代わりとして使用することもあるが、大半の人々はマウスを利用している。このマウスは、画面内のカーソルを制御するのに利用されており、現在、マウスには機械式や光学式のタイプのもの、また形状も様々な種類がある。
【考案の開示】
【考案が解決しようとする課題】
【０００３】
このようにパソコンの開発が進む中で、マウスにもカーソル制御以外の機能を追加する開発が望まれていた。
【課題を解決するための手段】
【０００４】
上記のような課題を解決するために、本願のマウス構造は、携帯型電子製品に使用するマウス構造であって、ベースと、前記ベースに取りつけるケースと、前記ベースと前記ケースの間に配置する電気回路ボードと、前記電気回路ボードの上に配置して、携帯型電子製品と接続する第一ソケットと、前記ベースに配置するスピーカーと、電気線路を通じて前記スピーカーに接続すると共に、前記携帯型電子製品のマイクソケットと接続する第二ソケットに接続したマイクと、を具備しており、使用する際、前記スピーカーと前記マイクを通じて前記携帯型電子製品と音声の送受が行えることを特徴とする。
【０００５】
また、本願の考案は、前記したマウス構造において、前記第二ソケットが、コネクターを通じて前記携帯型電子製品のマイクソケットと接続できることを特徴とする。
【０００６】
また、本願の考案は、前記したマウス構造において、前記第一ソケットが、アダプタを通じて前記携帯型電子製品と接続できることを特徴とする。
【０００７】
また、本願の考案は、前記したマウス構造において、前記第一ソケットにＵＳＢソケットを使用することを特徴としたものである。
【０００８】
また、本願の考案は、前記したマウス構造において、前記ベースに前記スピーカーを入れるコンケーブフレームを設け、前記コンケーブフレームにはスピーカーホールが設けてあることを特徴としたものである。
【０００９】
また、本願の考案は、前記したマウス構造において、前記ベースに前記マイクを入れるコンケーブスロットを設けたことを特徴とする。
【考案の効果】
【００１０】
本考案は、上記した課題を解決するための手段により、次のような効果の少なくとも一つを得ることができる。
本考案のマウス構造は、スピーカーとマイクを内部に設けているので、携帯型電子製品の内部空間は節約でき、有効に利用することができる。スピーカーやマイクを小さなマウス内に搭載しているため、使用の際や持ち運びの際に部品点数が多くならず、また場所もとらないため便利である。
【考案を実施するための最良の形態】
【００１１】
以下、添付図面を参照して本考案の好適な実施の形態を詳細に説明する。
まず、図１と図２を参照して説明する。この考案に係るマウス構造には、ベース１０があり、そのベース１０の上には電気回路ボード３０を設ける。電気回路ボード３０上には、マウスの操作に必要な公知の電気線路が分布されている。この電気回路ボード３０は、電気線路によってＵＳＢソケット３３と接続しており、このＵＳＢソケット３３を介して携帯型電子製品に接続することができる。本例では、携帯型電子製品への接続手段としてＵＳＢソケット３３を使用するが、ＵＳＢソケット３３以外のソケットを使用することもできる。
【００１２】
ベース１０の前端には、ホルダー１１が設けられており、そのホルダー１１の上部には回動可能なようにローラー１２が配置されている。このローラー１２は、使用者が転がして使用するもので、電気回路ボード３０を貫通し、また上部に配置するケース２０の開口部２１から露出している。
【００１３】
ベース１０には、受信した音声を流すスピーカー３１を設ける。スピーカー３１は、ベース１０上のスピーカーホール１４を設けるコンケーブフレーム１３に配置する。
【００１４】
また、ベース１０には、音声を送るためのマイク３２も設ける。マイク３２は、ベース１０の前端に設けるコンケーブスロット１５内に配置する。マイク３２は、電気線路を通じてスピーカー３１と接続している。また、マイク３２は電気線路を通じて第二ソケット３４に接続しており、その第二ソケット３４はコネクター３５を通じて携帯型電子製品のマイクソケットと接続することができる（図３、図４参照）。
【００１５】
次に、図３、図４を参照にしながら、マウス構造の使用方法について説明する。本例では携帯型電子製品４０として、ノート型コンピューターを使用する。
まず、一本のアダプタ３６（本例では、ＵＳＢアダプタを使用）を、本考案のマウス構造のＵＳＢソケット３３と、携帯型電子製品４０のソケットに接続する。アダプタ３６でマウスと携帯型電子製品４０とを接続することにより、マウスで携帯型電子製品４０のプログラムを執行し、カーソルを制御することができる。
また、一本のコネクター３５を、マウスの第二ソケット３４と携帯型電子製品４０のマイクソケットに接続することで、マウスに設けたスピーカー３１とマイク３２を通して、音声を送ったり、受けたりすることができる。
【００１６】
このように、本考案はマイク３２やスピーカー３１など、通常、携帯型電子製品４０に外づけする部材をマウスの内部に組み込んでいるため、携帯型電子製品４０の内部空間を節約することができる。また、スピーカー３１やマイク３２をマウスに組み込むことによって、持ち運びの際や携帯型電子製品４０の使用の際に無駄な場所をとらないため、便利である。
【図面の簡単な説明】
【００１７】
【図１】この考案に係るマウス構造の外観斜視図である。
【図２】この考案に係るマウス構造の分解斜視図である。
【図３】この考案に係るマウス構造にコネクターやアダプタを接続する説明図である。
【図４】この考案に係るマウス構造をノート型パソコンに接続した状態を示す説明図である。
【符号の説明】
【００１８】
１０・・・ベース
１１・・・ホルダー
１２・・・ローラー
１３・・・コンケーブフレーム
１４・・・スピーカーホール
１５・・・コーンケーブスロット
２０・・・ケース
２１・・・開口部
３０・・・電気回路ボード
３１・・・スピーカー
３２・・・マイク
３３・・・ＵＳＢソケット
３４・・・第二ソケット
３５・・・コネクター
３６・・・アダプタ
４０・・・携帯型電子製品
【図１】
0003103742.tif 000003
【図２】
0003103742.tif 000004
【図３】
0003103742.tif 000005
【図４】
0003103742.tif 000006